(57)【特許請求の範囲】
【請求項１】
複数の出力ピンにより接続されることによって回路基板上に実装される集積回路であって、
前記回路基板上で各々が接続された前記複数の出力ピンにそれぞれ接続された複数の入力バッファと、前記複数の出力ピン及び前記複数の入力バッファにそれぞれ接続され、前記複数の出力ピンのうち接続された出力ピン、及び前記複数の入力バッファのうち接続された入力バッファへ出力信号を供給する複数のトライステートバッファと、前記複数の入力バッファから出力された出力信号と前記複数のトライステートバッファに供給される出力信号とに基づいて、前記複数のトライステートバッファのいずれから前記出力信号を供給させるかを決定する送信信号正常性判定部とを備え、
前記複数の入力バッファは、
前記複数のトライステートバッファのうち接続された１つのトライステートバッファから出力信号が供給され、又は前記複数のトライステートバッファのうち接続されていない他のトライステートバッファから、前記複数の出力ピンのうち前記他のトライステートバッファに接続された出力ピンと、前記複数の出力ピンのうち前記１つのトライステートバッファに接続された出力ピンとを介して前記出力信号が供給される
ことを特徴とする集積回路。
【請求項２】
複数の出力ピン、及びモニタピンにより接続されることで回路基板に実装された集積回路であって、
前記複数の出力ピンにそれぞれ接続され、前記複数の出力ピンのうち接続された出力ピンを介して前記回路基板へ出力信号を出力する複数のトライステートバッファと、
前記複数のトライステートバッファにより出力された出力信号が前記回路基板から前記モニタピンを介して入力信号として入力されるモニタバッファと、
前記モニタバッファから出力された出力信号と前記複数のトライステートバッファに供給される出力信号とに基づいて、前記複数のトライステートバッファのいずれから前記出力信号を出力させるかを決定する送信信号正常性判定部と、
を備えることを特徴とする集積回路。
【請求項３】
前記複数の出力ピン、又は前記複数の出力ピン及び前記モニタピンが、
近接されて配置された
ことを特徴とする請求項１又は２記載の集積回路。
【請求項４】
前記複数の出力ピン、又は前記複数の出力ピン及び前記モニタピンが、
該集積回路の各辺に分散させて配置された
ことを特徴とする請求項１又は２記載の集積回路。
【請求項５】
複数の出力ピンにより接続されることによって集積回路が実装された回路基板であって、
前記複数の出力ピンにそれぞれ接続された複数の入力バッファと、前記複数の出力ピン及び前記複数の入力バッファに接続され、前記複数の出力ピンのうち接続された出力ピン、及び前記複数の入力バッファのうち接続された入力バッファへ出力信号を供給する複数のトライステートバッファと、前記複数の入力バッファから出力された出力信号と前記複数のトライステートバッファに供給される出力信号とに基づいて、前記複数のトライステートバッファのいずれから前記出力信号を供給させるかを決定する送信信号正常性判定部とを備え、
前記複数の入力バッファは、
前記複数のトライステートバッファのうち接続された１つのトライステートバッファから出力信号が供給され、又は前記複数のトライステートバッファのうち接続されていない他のトライステートバッファから、前記複数の出力ピンのうち前記他のトライステートバッファに接続された出力ピンと、前記複数の出力ピンのうち前記１つのトライステートバッファに接続された出力ピンとを介して前記出力信号が供給される
前記集積回路を有し、
前記複数のトライステートバッファのうち１つのトライステートバッファにより前記複数の出力ピンのうち１つの出力ピンに供給されることにより出力された出力信号が、前記複数の出力ピンのうち他の出力ピンへ入力されるように前記複数の出力ピン同士が接続された
ことを特徴とする回路基板。
【請求項６】
複数の出力ピン及びモニタピンにより接続されることにより集積回路が実装された回路基板であって、
前記複数の出力ピンにそれぞれ接続され、前記複数の出力ピンのうち接続された出力ピンを介して出力信号を出力する複数のトライステートバッファと、
入力信号が前記モニタピンを介して入力されるモニタバッファと、
前記モニタバッファから出力された出力信号と前記複数のトライステートバッファに供給された出力信号とに基づいて、前記複数のトライステートバッファのいずれから前記出力信号を出力させるかを決定する送信信号正常性判定部と、
を備える前記集積回路を有し、
前記複数のトライステートバッファにより出力された出力信号を前記モニタバッファへ入力信号として入力されるように前記複数の出力ピンと前記モニタピンとが接続された
ことを特徴とする回路基板。
【発明の詳細な説明】
【技術分野】
【０００１】
本発明は、集積回路とこの集積回路が実装された回路基板との間の信号伝送異常を低減させる集積回路及び回路基板に関する。
【背景技術】
【０００２】
電子機器は、複数の集積回路が実装された印刷回路基板を備えているものが多く、この集積回路と印刷回路基板との間で正常に信号が伝送されることにより、電子機器は様々な機能を実現することができる（例えば、特許文献１）。
【０００３】
そのため、集積回路と印刷回路基板との間の信号伝送異常が発生すると、印刷回路基板に備えられた電子機器は正常に動作しない場合があった。
【０００４】
ここで、集積回路と印刷回路基板との間の信号伝送異常の原因としては、集積回路自体の故障や集積回路を印刷回路基板に実装する際の半田付け不良による場合が多い。さらに、集積回路自体の故障は、集積回路の内部の回路故障よりも、出力バッファの故障であることが多い。
【特許文献１】特開平８−７７１１４号公報
【発明の開示】
【発明が解決しようとする課題】
【０００５】
このように、特許文献１に記載の電子機器では、集積回路自体の故障や半田付け不良に起因する集積回路と印刷回路基板との間の信号伝送異常が発生した場合、電子機器が正常に動作しない場合があった。
【０００６】
本発明は、上記課題に鑑みてなされたものであり、集積回路とこの集積回路が実装された回路基板との間の信号伝送異常を低減させる集積回路及び回路基板を提供することを目的とする。
【課題を解決するための手段】
【０００７】
上記目的を達成するため、本発明に係る集積回路の第１の特徴は、回路基板上で各々が接続された複数の出力ピンにそれぞれ接続された複数の入力バッファと、複数の出力ピン及び複数の入力バッファにそれぞれ接続され、複数の出力ピンのうち接続された出力ピン、及び複数の入力バッファのうち接続された入力バッファへ出力信号を供給する複数のトライステートバッファと、複数の入力バッファから出力された出力信号と複数のトライステートバッファに供給される出力信号とに基づいて、複数のトライステートバッファのいずれから出力信号を供給させるかを決定する送信信号正常性判定部とを備え、複数の入力バッファは、複数のトライステートバッファのうち接続された１つのトライステートバッファから出力信号が供給され、又は複数のトライステートバッファのうち接続されていない他のトライステートバッファから、複数の出力ピンのうち前記他のトライステートバッファに接続された出力ピンと、複数の出力ピンのうち１つのトライステートバッファに接続された出力ピンとを介して前記出力信号が供給されることにある。
【０００８】
上記目的を達成するため、本発明に係る集積回路の第２の特徴は、複数の出力ピンにそれぞれ接続され、複数の出力ピンのうち接続された出力ピンを介して回路基板へ出力信号を出力する複数のトライステートバッファと、複数のトライステートバッファにより出力された出力信号が回路基板から前記モニタピンを介して入力信号として入力されるモニタバッファと、モニタバッファから出力された出力信号と複数のトライステートバッファに供給される出力信号とに基づいて、複数のトライステートバッファのいずれから出力信号を出力させるかを決定する送信信号正常性判定部とを備えることにある。
【０００９】
上記目的を達成するため、本発明に係る回路基板の第１の特徴は、複数の出力ピンにより接続されることによって集積回路が実装された回路基板であって、複数の出力ピンにそれぞれ接続された複数の入力バッファと、複数の出力ピン及び複数の入力バッファに接続され、複数の出力ピンのうち接続された出力ピン、及び複数の入力バッファのうち接続された入力バッファへ出力信号を供給する複数のトライステートバッファと、複数の入力バッファから出力された出力信号と複数のトライステートバッファに供給される出力信号とに基づいて、複数のトライステートバッファのいずれから出力信号を供給させるかを決定する送信信号正常性判定部とを備え、複数の入力バッファは、複数のトライステートバッファのうち接続された１つのトライステートバッファから出力信号が供給され、又は複数のトライステートバッファのうち接続されていない他のトライステートバッファから、複数の出力ピンのうち他のトライステートバッファに接続された出力ピンと、複数の出力ピンのうち１つのトライステートバッファに接続された出力ピンとを介して出力信号が供給される集積回路を有し、複数のトライステートバッファのうち１つのトライステートバッファにより複数の出力ピンのうち１つの出力ピンに供給されることにより出力された出力信号が、複数の出力ピンのうち他の出力ピンへ入力されるように複数の出力ピン同士が接続されたことにある。
【００１０】
上記目的を達成するため、本発明に係る回路基板の第２の特徴は、複数の出力ピンにそれぞれ接続され、複数の出力ピンのうち接続された出力ピンを介して出力信号を出力する複数のトライステートバッファと、入力信号がモニタピンを介して入力されるモニタバッファと、モニタバッファから出力された出力信号と複数のトライステートバッファに供給された出力信号とに基づいて、複数のトライステートバッファのいずれから出力信号を出力させるかを決定する送信信号正常性判定部とを備える集積回路を有し、複数のトライステートバッファにより出力された出力信号をモニタバッファへ入力信号として入力されるように複数の出力ピンとモニタピンとが接続されたことにある。
【発明の効果】
【００１１】
本発明によれば、集積回路とこの集積回路が実装された回路基板との間の信号伝送異常を低減させることができる。
【発明を実施するための最良の形態】
【００１２】
以下、本発明に係る集積回路及びこの集積回路が実装された回路基板の一実施例について図面を参照して説明する。
【実施例１】
【００１３】
図１は、本発明の実施例１である集積回路が実装された回路基板の構成を示したブロック図である。
【００１４】
図１に示すように、回路基板１上には、本発明の実施例１である集積回路２が実装されており、回路基板１と集積回路２とは、２つの出力ピン３ａ，３ｂで接続されている。また、出力ピン３ａと出力ピン３ｂとの間は、回路基板１上で配線１０により接続されている。
【００１５】
集積回路２は、２つのトライステートバッファ４ａ，４ｂと、２つの入力バッファ５ａ，５ｂと、送信信号正常性判定部６とを備えている。
【００１６】
トライステートバッファ４ａ，４ｂは、集積回路２内部で処理された出力信号が入力されるように配線されている。また、トライステートバッファ４ａ，４ｂは、出力ピン３ａ，３ｂ、及び２つの入力バッファ５ａ，５ｂに各々対応して接続されており、対応して接続された出力ピン３ａ，３ｂへ出力信号を供給すると共に、対応して接続された入力バッファ５ａ，５ｂに出力信号を供給する。また、トライステートバッファ４ａ，４ｂは、送信信号正常性判定部６から出力制御信号が供給されると、この供給された出力制御信号によって、出力信号を出力状態、又はハイインピーダンス状態のいずれかに設定される。
【００１７】
入力バッファ５ａ，５ｂは、出力ピン３ａ，３ｂに対応して接続されており、トライステートバッファ４ａ，４ｂから供給される出力信号、又は回路基板１から出力ピン３ａ，３ｂを経由して供給される出力信号を送信信号正常性判定部６へ供給する。
【００１８】
送信信号正常性判定部６は、集積回路２内部で処理された出力信号が入力されるように配線されている。そして、集積回路２内部で処理された出力信号と入力バッファ５ａ，５ｂから供給された出力信号に基づいて、トライステートバッファ４ａ，４ｂのいずれから出力信号を供給させるか決定する。
【００１９】
（作用）
次に、本発明の実施例１である集積回路２が実装された回路基板１の作用について説明する。
【００２０】
集積回路２内部で処理された出力信号は、送信信号正常性判定部６とトライステートバッファ４ａ，４ｂとに供給される。ここで、送信信号正常性判定部６は、トライステートバッファ４ａに出力信号を出力するよう出力制御信号ＥＮ１を供給しており、トライステートバッファ４ａが出力信号を出力ピン３ａを介して回路基板１へ出力しているものとする。
【００２１】
そして、集積回路２内部で処理された出力信号が供給されたトライステートバッファ４ａは、出力信号を出力ピン３ａを介して回路基板１へ出力すると共に、入力バッファ５ａへ出力信号を供給する。出力信号が供給された入力バッファ５ａは、供給された出力信号を送信信号正常性判定部６へ供給する。
【００２２】
一方、トライステートバッファ４ｂは、送信信号正常性判定部６によりハイインピーダンス状態に設定されるように出力制御信号ＥＮ２が供給されているので、集積回路２内部から供給された出力信号は出力しない。
【００２３】
トライステートバッファ４ａにより回路基板１へ出力された出力信号は、回路基板１上の配線１０を伝送されて出力ピン３ｂを介して入力バッファ５ｂへ供給される。そして、入力バッファ５ｂは、供給された出力信号を送信信号正常性判定部６へ供給する。
【００２４】
次に、送信信号正常性判定部６は、集積回路２内部から供給された出力信号と入力バッファ５ａ，５ｂから供給された出力信号に基づいて、トライステートバッファ４ａ，４ｂのいずれから出力信号を出力させ、いずれをハイインピーダンス状態に設定するかを判定する。
【００２５】
図２は、送信信号正常性判定部６におけるトライステートバッファ４ａ，４ｂの出力制御を説明した判定図である。
【００２６】
例えば、図２の判定番号Ｎ０１に示すように、送信信号正常性判定部６は、集積回路２内部から供給された出力信号と入力バッファ５ａから供給された出力信号とが一致する場合には、入力バッファ５ａの状態が“正常”と判定する。また、送信信号正常性判定部６は、集積回路２内部から供給された出力信号と入力バッファ５ｂから供給された出力信号とが一致する場合には、入力バッファ５ｂの状態が“正常”と判定する。そして、入力バッファ５ａ，５ｂの状態が“正常”であるので、送信信号正常性判定部６は、図２の出力制御Ｃ０５に示すように、トライステートバッファ４ａに出力信号を出力させるよう出力制御信号ＥＮ１を供給する。
【００２７】
一方、図２の判定番号Ｎ０２に示すように、送信信号正常性判定部６は、集積回路２内部から供給された出力信号と入力バッファ５ａから供給された出力信号とが一致しない場合には、入力バッファ５ａの状態が“異常”と判定する。また、送信信号正常性判定部６は、集積回路２内部から供給された出力信号と入力バッファ５ｂから供給された出力信号とが一致する場合には、入力バッファ５ｂの出力状態が“正常”と判定する。このような場合、入力バッファ５ｂから出力信号が正常に供給されていることから、トライステートバッファ４ａ、出力ピン３ａ、出力ピン３ｂに異常はないと判定される。そのため、送信信号正常性判定部６は、図２の出力制御Ｃ０５に示すように、トライステートバッファ４ａに出力信号を出力するよう出力制御信号ＥＮ１を供給する。
【００２８】
また、図２の判定番号Ｎ０３に示すように、送信信号正常性判定部６は、集積回路２内部から供給された出力信号と入力バッファ５ａから供給された出力信号とが一致する場合、入力バッファ５ａの状態が“正常”と判定する。そして、集積回路２内部から供給された出力信号と入力バッファ５ｂから供給された出力信号とが一致しない場合、入力バッファ５ｂの状態が“異常”と判定する。このような場合、トライステートバッファ４ａから出力ピン３ａへ供給された出力信号は正常であるので、出力ピン３ａが異常である可能性が高いと判定し、送信信号正常性判定部６は、図２の出力制御Ｃ０５に示すように、トライステートバッファ４ａをハイインピーダンスとするよう出力制御信号ＥＮ１を供給すると共に、トライステートバッファ４ｂに出力信号を出力するよう出力制御信号ＥＮ２を供給する。
【００２９】
同様に、図２の判定番号Ｎ０４に示すように、送信信号正常性判定部６は、集積回路２内部から供給された出力信号と入力バッファ５ａから供給された出力信号とが一致しない場合、入力バッファ５ａの状態が“異常”と判定する。さらに、集積回路２内部から供給された出力信号と入力バッファ５ｂから供給された出力信号とが一致しない場合、入力バッファ５ｂの状態が“異常”と判定する。このような場合、トライステートバッファ４ａが異常、又はトライステートバッファ４ａ及び出力ピン３ａが異常である可能性が高いと判定し、送信信号正常性判定部６は、図２の出力制御Ｃ０５に示すように、トライステートバッファ４ａをハイインピーダンスとするよう出力制御信号ＥＮ１を供給すると共に、トライステートバッファ４ｂに出力信号を出力するよう出力制御信号ＥＮ２を供給する。
【００３０】
このように、送信信号正常性判定部６が、集積回路２内部から供給された出力信号と入力バッファ５ａ，５ｂから供給された出力信号に基づいて、トライステートバッファ４ａ，４ｂから出力信号を出力状態に設定するか、ハイインピーダンス状態に設定するかを判定することで、正常なトライステートバッファ４ａ，４ｂ及び出力ピン３ａ，３ｂから出力信号を回路基板１へ出力することができる。
【００３１】
これにより、集積回路２とこの集積回路２が実装された回路基板１との間で、例えば集積回路２のトライステートバッファ４ａ，４ｂの故障や集積回路２を回路基板１に実装する際の出力ピン３ａ，３ｂの半田付け不良等に起因する信号伝送異常を低減させることができる。
【実施例２】
【００３２】
図３は、本発明の実施例２である集積回路が実装された回路基板の構成を示したブロック図である。
【００３３】
図３に示すように、回路基板１０１上には、本発明の実施例２である集積回路２０１が実装されており、回路基板１０１と集積回路２０１とは、２つの出力ピン３ａ，３ｂとモニタピン７とで接続されている。また、出力ピン３ａと出力ピン３ｂとモニタピン７との間は、回路基板上で配線１０，１１により接続されている。
【００３４】
集積回路２０１は、２つのトライステートバッファ４ａ，４ｂと、送信信号正常性判定部６と、モニタバッファ８とを備えている。
【００３５】
トライステートバッファ４ａ，４ｂは、集積回路２０１内部で処理された出力信号が入力されるように配線されている。また、トライステートバッファ４ａ，４ｂは、出力ピン３ａ，３ｂに各々対応して接続されており、対応して接続された出力ピン３ａ，３ｂへ各々出力信号を供給する。また、トライステートバッファ４ａ，４ｂは、送信信号正常性判定部６から出力制御信号が供給され、この供給された出力制御信号によって、出力信号を出力するか、又はハイインピーダンス状態として設定される。
【００３６】
モニタピン７は、出力ピン３ａ，３ｂと回路基板１０１上で配線１０，１１により接続されており、モニタバッファ８は、トライステートバッファ４ａ，４ｂが出力ピン３ａ，３ｂから回路基板１０１へ出力した出力信号を、回路基板１０１からモニタピン７を介して入力信号として入力され、この入力信号を送信信号正常性判定部６へ供給する。
【００３７】
送信信号正常性判定部６は、集積回路２０１内部で処理された出力信号が入力されるように配線されている。そして、集積回路２０１内部で処理された出力信号とモニタバッファ８から供給された入力信号に基づいて、トライステートバッファ４ａ，４ｂのいずれから出力信号を供給させるか決定する。
【００３８】
（作用）
次に、本発明の実施例２である集積回路２０１が実装された回路基板１０１の作用について説明する。
【００３９】
集積回路２０１内部で処理された出力信号は、送信信号正常性判定部６とトライステートバッファ４ａ，４ｂとに供給される。
【００４０】
ここで、送信信号正常性判定部６は、トライステートバッファ４ａに出力信号を出力するよう出力制御信号ＥＮ１を供給しており、トライステートバッファ４ａが出力信号を出力ピン３ａを介して回路基板１０１へ出力しているものとする。
【００４１】
そして、集積回路２０１内部で処理された出力信号が供給されたトライステートバッファ４ａは、出力信号を出力ピン３ａを介して回路基板１０１へ出力する。
【００４２】
一方、トライステートバッファ４ｂは、送信信号正常性判定部６によりハイインピーダンスに設定されるように出力制御信号ＥＮ２が供給されているので、集積回路２０１内部から供給された出力信号は出力しない。
【００４３】
トライステートバッファ４ａにより回路基板１０１へ出力された出力信号は、回路基板１０１上の配線１１により伝送されてモニタピン７を介して入力信号として入力されてモニタバッファ８へ供給される。そして、モニタバッファ８は、供給された入力信号を送信信号正常性判定部６へ供給する。
【００４４】
次に、送信信号正常性判定部６は、集積回路２０１内部から供給された出力信号とモニタバッファ８から供給された入力信号に基づいて、トライステートバッファ４ａ，４ｂのいずれから出力信号を出力させ、いずれをハイインピーダンスに設定するかを判定する。
【００４５】
具体的には、送信信号正常性判定部６は、集積回路２０１内部から供給された出力信号とトライステートバッファ４ａからモニタバッファ８を介して供給された入力信号とが一致する場合には、トライステートバッファ４ａ又は出力ピン３ａの状態が“正常”と判定する。この場合には、送信信号正常性判定部６は、トライステートバッファ４ａに出力信号を出力するよう出力制御信号ＥＮ１を供給する。
【００４６】
一方、送信信号正常性判定部６は、集積回路２０１内部から供給された出力信号とトライステートバッファ４ａからモニタバッファ８を介して供給された入力信号とが一致しない場合には、トライステートバッファ４ａ又は出力ピン３ａの状態が“異常”と判定する。この場合には、送信信号正常性判定部６は、トライステートバッファ４ａをハイインピーダンスに設定するよう出力制御信号ＥＮ１を供給すると共に、トライステートバッファ４ｂに出力信号を出力するよう出力制御信号ＥＮ２を供給する。
【００４７】
このように、送信信号正常性判定部６が、集積回路２０１内部から供給された出力信号とモニタバッファ８から供給された出力信号に基づいて、トライステートバッファ４ａ，４ｂから出力信号を出力させるかハイインピーダンスに設定するかを判定することで、正常なトライステートバッファ４ａ，４ｂ及び出力ピン３ａ，３ｂから出力信号を回路基板１０１へ出力することができる。
【００４８】
これにより、集積回路２０１とこの集積回路２０１が実装された回路基板１０１との間で、例えば集積回路２０１のトライステートバッファ４ａ，４ｂの故障や集積回路２０１を回路基板１０１に実装する際のトライステートバッファ４ａ，４ｂの半田付け不良等に起因する信号伝送異常を低減させることができる。
【実施例３】
【００４９】
図４は、本発明の実施例３である集積回路が実装された回路基板の構成を示したブロック図である。
【００５０】
図４に示すように、回路基板１０２上には、本発明の実施例３である集積回路２０２が実装されており、回路基板１０２と集積回路２０２とは、２つの出力ピン３ａ，３ｂとモニタピン７とで接続されている。また、出力ピン３ａと出力ピン３ｂとモニタピン７との間は、回路基板１０２上で配線１０，１１により接続されている。
【００５１】
集積回路２０２は、２つのトライステートバッファ４ａ，４ｂと、２つの入力バッファ５ａ，５ｂと、送信信号正常性判定部６と、モニタバッファ８とを備えている。
【００５２】
トライステートバッファ４ａ，４ｂは、集積回路２０２内部で処理された出力信号が入力されるように配線されている。また、トライステートバッファ４ａ，４ｂは、出力ピン３ａ，３ｂ、及び２つの入力バッファ５ａ，５ｂに各々対応して接続されており、対応して接続された出力ピン３ａ，３ｂへ出力信号を供給すると共に、対応して接続された入力バッファ５ａ，５ｂに出力信号を供給する。また、トライステートバッファ４ａ，４ｂは、送信信号正常性判定部６から出力制御信号が供給され、この供給された出力制御信号によって、出力信号を出力状態、又はハイインピーダンス状態のいずれかに設定される。
【００５３】
入力バッファ５ａ，５ｂは、出力ピン３ａ，３ｂに対応して接続されており、トライステートバッファ４ａ，４ｂから供給される出力信号、又は回路基板１０２から出力ピン３ａ，３ｂを介して供給される出力信号を送信信号正常性判定部６へ供給する。
【００５４】
モニタピン７は、出力ピン３ａ，３ｂと回路基板１０２上で接続されており、モニタバッファ８は、トライステートバッファ４ａ，４ｂが出力ピン３ａ，３ｂから回路基板１０２へ出力した出力信号を、回路基板１０２からモニタピン７を介して入力信号として入力され、この入力信号を送信信号正常性判定部６へ供給する。
【００５５】
送信信号正常性判定部６は、集積回路２内部で処理された出力信号が入力されるように配線されている。そして、集積回路２内部で処理された出力信号と入力バッファ５ａ，５ｂから供給された出力信号とモニタバッファ８から入力された入力信号とに基づいて、トライステートバッファ４ａ，４ｂのいずれから出力信号を供給させるか決定する。
【００５６】
（作用）
次に、本発明の実施例３である集積回路２０２が実装された回路基板１０２の作用について説明する。
【００５７】
集積回路２０２内部で処理された出力信号は、送信信号正常性判定部６とトライステートバッファ４ａ，４ｂとに供給される。ここで、送信信号正常性判定部６は、トライステートバッファ４ａに出力信号を出力するよう出力制御信号ＥＮ１を供給しており、トライステートバッファ４ａが出力信号を出力ピン３ａを介して回路基板１０２へ出力しているものとする。
【００５８】
そして、集積回路２内部で処理された出力信号が供給されたトライステートバッファ４ａは、出力信号を出力ピン３ａを介して回路基板１０２へ出力すると共に、入力バッファ５ａへ供給する。出力信号が供給された入力バッファ５ａは、供給された出力信号を送信信号正常性判定部６へ供給する。
【００５９】
一方、トライステートバッファ４ｂは、送信信号正常性判定部６によりハイインピーダンス状態に設定するように出力制御信号ＥＮ２が供給されているので、集積回路２内部から供給された出力信号は出力しない。
【００６０】
トライステートバッファ４ａにより回路基板１０２へ出力された出力信号は、回路基板１０２上の配線１０を伝送されて出力ピン３ｂから入力されて入力バッファ５ｂへ供給される。そして、入力バッファ５ｂは、供給された出力信号を送信信号正常性判定部６へ供給する。
【００６１】
さらに、トライステートバッファ４ａにより出力ピン３ａを介して回路基板１０２へ出力された出力信号は、回路基板１０２上の配線１１を伝送されてモニタピン７から入力信号として入力されてモニタバッファ８へ供給される。そして、モニタバッファ８は、供給された入力信号を送信信号正常性判定部６へ供給する。
【００６２】
次に、送信信号正常性判定部６は、集積回路２内部から供給された出力信号と入力バッファ５ａ，５ｂから供給された出力信号と、モニタバッファ８から供給された入力信号とに基づいて、トライステートバッファ４ａ，４ｂのいずれから出力信号を出力させ、いずれをハイインピーダンスに設定するかを判定する。
【００６３】
図５は、送信信号正常性判定部６におけるトライステートバッファ４ａ，４ｂの出力制御を説明した判定図である。
【００６４】
例えば、図５の判定番号Ｎ１１に示すように、送信信号正常性判定部６は、集積回路２０２内部から供給された出力信号とモニタバッファ８から供給された入力信号とが一致する場合には、モニタバッファ８の状態が“正常”と判定する。また、送信信号正常性判定部６は、集積回路２０２内部から供給された出力信号と入力バッファ５ａから供給された出力信号とが一致する場合には、入力バッファ５ａの状態が“正常”と判定する。さらに、送信信号正常性判定部６は、集積回路２内部から供給された出力信号と入力バッファ５ｂから供給された出力信号とが一致する場合には、入力バッファ５ｂの状態が“正常”と判定する。そして、モニタバッファ８及び入力バッファ５ａ，５ｂの状態が“正常”であるので、送信信号正常性判定部６は、図５の出力制御Ｃ１６に示すように、トライステートバッファ４ａに出力信号を出力するよう出力制御信号ＥＮ１を供給する。
【００６５】
また、図５の判定番号Ｎ１２に示すように、送信信号正常性判定部６は、集積回路２０２内部から供給された出力信号とモニタバッファ８から供給された入力信号とが一致する場合には、モニタバッファ８の状態が“正常”と判定する。また、送信信号正常性判定部６は、集積回路２内部から供給された出力信号と入力バッファ５ａから供給された出力信号とが一致しない場合には、入力バッファ５ａの状態が“異常”と判定する。さらに、送信信号正常性判定部６は、集積回路２内部から供給された出力信号と入力バッファ５ｂから供給された出力信号とが一致する場合には、入力バッファ５ｂの出力状態が“正常”と判定する。
【００６６】
このような場合、モニタバッファ８から入力信号が正常に供給されていること、及び入力バッファ５ｂから出力信号が正常に供給されていることから、トライステートバッファ４ａ、出力ピン３ａ、出力ピン３ｂに異常はないと判定される。そのため、送信信号正常性判定部６は、図５の出力制御Ｃ１６に示すように、トライステートバッファ４ａに出力信号を出力するよう出力制御信号ＥＮ１を供給する。
【００６７】
一方、図５の判定番号Ｎ１７に示すように、送信信号正常性判定部６は、集積回路２０２内部から供給された出力信号とモニタバッファ８から供給された入力信号とが一致しない場合には、モニタバッファ８の状態が“異常”と判定する。また、送信信号正常性判定部６は、集積回路２内部から供給された出力信号と入力バッファ５ａから供給された出力信号とが一致する場合、入力バッファ５ａの状態が“正常”と判定する。さらに、集積回路２内部から供給された出力信号と入力バッファ５ｂから供給された出力信号とが一致しない場合、入力バッファ５ｂの状態が“異常”と判定する。
【００６８】
このような場合、モニタバッファ８から入力信号が正常に供給されていること、及びトライステートバッファ４ａから出力ピン３ａへ供給された出力信号は正常であることから、出力ピン３ａが異常である可能性が高いと判定し、送信信号正常性判定部６は、図５の出力制御Ｃ１６に示すように、トライステートバッファ４ａをハイインピーダンス状態とするよう出力制御信号ＥＮ１を供給すると共に、トライステートバッファ４ｂに出力信号を出力するよう出力制御信号ＥＮ２を供給する。
【００６９】
このように、送信信号正常性判定部６が、集積回路２内部から供給された出力信号と入力バッファ５ａ，５ｂから供給された出力信号とモニタバッファ８から供給された入力信号とに基づいて、トライステートバッファ４ａ，４ｂから出力信号を出力させるかハイインピーダンスに設定するかを判定することで、正常なトライステートバッファ４ａ，４ｂ及び出力ピン３ａ，３ｂから出力信号を回路基板１０２へ出力することができる。
【００７０】
これにより、集積回路２０２とこの集積回路２０２が実装された回路基板１０２との間で、例えば集積回路２０２のトライステートバッファ４ａ，４ｂの故障や集積回路２０２を回路基板１０２に実装する際の出力ピン３ａ，３ｂの半田付け不良等に起因する信号伝送異常を低減させることができる。
【００７１】
さらに、本発明の実施例３である集積回路２０２によれば、送信信号正常性判定部６が、集積回路２内部から供給された出力信号と入力バッファ５ａ，５ｂから供給された出力信号とモニタバッファ８から供給された入力信号との３つの信号に基づいて、トライステートバッファ４ａ，４ｂから出力信号を出力させるかハイインピーダンスに設定するかを判定するので、実施例１である集積回路２及び実施例２である集積回路２０１に比較して、より詳細に出力状態を判定することができる。具体的には、図５中の状態の判定Ｃ１５に示したように、３つの信号から伝送異常の原因をより詳細に特定することができる。
【００７２】
なお、実施例１乃至実施例３に係る集積回路が実装された回路基板では、送信信号正常性判定部６が、集積回路２内部から供給された出力信号と供給された出力信号及び入力信号とを比較することによりトライステートバッファ４ａ，４ｂから出力信号を出力させるかハイインピーダンスに設定するかを判定したが、本発明に係る実施例は、この構成に限られるものではない。
【００７３】
例えば、送信信号正常性判定部６が、集積回路２内部から出力信号が供給されたときから予め定めた一定時間内に入力バッファ５ａ，５ｂやモニタバッファ８から信号が供給されたか否かでトライステートバッファ４ａ，４ｂから出力信号を出力させるかハイインピーダンスに設定するかを判定してもよい。
【００７４】
さらに、送信信号正常性判定部６が、集積回路２内部から特定符号が付加された出力信号が供給されたときに、入力バッファ５ａ，５ｂやモニタバッファ８からこの特定信号が付加された出力信号が供給されたか否かでトライステートバッファ４ａ，４ｂから出力信号を出力させるかハイインピーダンスに設定するかを判定してもよい。
【００７５】
また、実施例３に係る集積回路２０２では、出力ピン３ａ，３ｂ、モニタピン７が、集積回路２０２の一辺に近接されて配置されている。これにより、集積回路内の配線、及び各出力ピン３ａ，３ｂ、モニタピン７の間の配線１０，１１の配線長を短くでき、回路基板１０２の設計上の制約が小さいという効果がある。また、出力ピン３ａ，３ｂ、モニタピン７を集積回路２０２の各辺に分離して配置してもよい。この場合、集積回路内の配線、及び各出力ピン３ａ，３ｂ、モニタピン７の間の配線１０，１１の配線長は長くなるが、回路基板の反り等によって出力ピンと回路基板上の配線との接触不良が、回路基板の一辺で発生しても他の辺が正常に接触している場合、信号伝送異常を低減することができる。
【図面の簡単な説明】
【００７６】
【図１】本発明の実施例１である集積回路が実装された回路基板の構成を示したブロック図である。
【図２】送信信号正常性判定部におけるトライステートバッファの出力制御を説明した判定図である。
【図３】本発明の実施例２である集積回路が実装された回路基板の構成を示したブロック図である。
【図４】本発明の実施例３である集積回路が実装された回路基板の構成を示したブロック図である。
【図５】送信信号正常性判定部におけるトライステートバッファの出力制御を説明した判定図である。
【符号の説明】
【００７７】
１，１０１，１０２…回路基板
２，２０１，２０２…集積回路
３ａ，３ｂ…出力ピン
４ａ，４ｂ…トライステートバッファ
５ａ，５ｂ…入力バッファ
６…送信信号正常性判定部
７…モニタピン
８…モニタバッファ
【図１】
0005203649.tif 000002
【図２】
0005203649.tif 000003
【図３】
0005203649.tif 000004
【図４】
0005203649.tif 000005
【図５】
0005203649.tif 000006